(57)【要約】【課題】  例えば歯の間の隙間を容易且つ確実に清掃できる歯ブラシで、歯茎への当りも柔かくて使用者にソフトな感じを与えることができ、歯の表面のエナメル質を損うことなく磨くことができ、しかも歯の表面に強固に付着した垢を確実に取り除くことができる歯ブラシのようなブラシであって、製造も容易なブラシを提供しようとする。【解決手段】  合成樹脂製のモノフィラメントと動物の毛とを混合してブリッスルとし、合成樹脂製のモノフィラメントは少なくとも一端を尖らせてテーパーを形成し、テーパー部分を動物の毛の先よりも突出させた状態としてブラシ台に植毛してブラシとする。【選択図】      図１
2005218555.tif 000002
【特許請求の範囲】
【請求項１】
合成樹脂製のモノフィラメントと、動物の毛とをブリッスルとして用い、上記モノフィラメントの少なくとも一端を先細のテーパー状にし、テーパー部分を上記動物の毛先よりも突出させた状態にして、ブラシ台に植毛してなることを特徴とする、ブラシ。
【請求項２】
ブラシ台の先端に位置するブリッスル束を合成樹脂製のモノフィラメントで構成し、その余のブリッスル束を動物の毛で構成したことを特徴とする、請求項１に記載のブラシ。
【請求項３】
ブラシ台の幅方向の両側に位置するブリッスル束を合成樹脂製のモノフィラメントで構成し、その余のブリッスル束を動物の毛で構成したことを特徴とする、請求項１に記載のブラシ。
【請求項４】
ブラシ台の幅方向の両側に位置するブリッスル束を動物の毛で構成し、その余のブリッスル束を合成樹脂製のモノフィラメントで構成したことを特徴とする、請求項１に記載のブラシ。
【請求項５】
ブラシ台の先端と幅方向の両側に位置するブリッスル束を合成樹脂製のモノフィラメントで構成し、その余のブリッスル束を動物の毛で構成したことを特徴とする、請求項１に記載のブラシ。
【請求項６】
動物の毛からなるブリッスル束と、合成樹脂製のモノフィラメントからなるブリッスル束とを１つおきに交互にブラシ台に植毛したことを特徴とする、請求項１に記載のブラシ。
【請求項７】
動物の毛と合成樹脂製のモノフィラメントとを混合してブリッスル束とし、このブリッスル束を植毛したことを特徴とする、請求項１に記載のブラシ。
【請求項８】
モノフィラメントとして一端にだけテーパー部分を備えたものを用い、テーパー部分の先端をテーパーのない先端より突出させた状態で２つ折りにし、植毛面上でテーパーのない端を外側にテーパー部分のある端を内側に位置させて植毛したことを特徴とする、請求項１に記載のブラシ。
【発明の詳細な説明】
【技術分野】
【０００１】
この発明は、混毛ブラシに関するものであって、詳しく云えば、合成樹脂製のモノフィラメントと、動物の毛とをブリッスルとしてブラシ台に植毛してなるブラシに関するものである。
【背景技術】
【０００２】
ブラシは、古くは豚毛、馬毛などの動物の毛をブリッスルとしてブラシ台に植毛して作られた。最近は、動物の毛に代わって合成樹脂製のモノフィラメントがブリッスルとして用いられるようになった。
【０００３】
実開昭５８−３１８３７号公報は、合成樹脂、とくにポリブチレンテレフタレート製のモノフィラメントをブリッスルとして少なくとも一部に使用し、ほかにナイロン製のモノフィラメント又は天然毛を使用して歯ブラシとすることを記載している。そこではポリブチレン製のブリッスルと他のブリッスルとは、それぞれ別の束として植毛することとされている。この公報は、こうして得られた歯ブラシが、すぐれた清掃効果とマッサージ効果とをもたらす、と説明している。
【特許文献１】実開昭５８−３１８３７号公報
【０００４】
また、実開昭６４−３２６２７号公報は、動物の毛の先を押圧すると細毛に分割され易いことを見出し、毛先が細毛化された動物の毛をブリッスルとして用い、これを植毛してブラシとすることを記載している。そこでは、毛先が細毛化された動物の毛と、毛先の細毛化されていない動物の毛又はナイロンのブリッスルとを別々の束として植毛したブラシが図示されているが、また細毛化された毛とナイロンブリッスルとを混合して束とし、これを植毛してもよいと説明している。この公報は、こうして得られたブラシが、マッサージ効果や清掃効果にすぐれ、ソフトな感じを与えるものである、と説明している。
【特許文献２】実開昭６４−３２６２７号公報
【０００５】
また、実開昭５７−５０２２０号公報は、合成樹脂、とくにポリエチレンテレフタレート又はポリブチレンテレフタレート製のモノフィラメントの一端を尖らせて、一端だけにテーパー部分を設け、これを２つ折りにしてテーパー部分を尖っていない先から突出させてブリッスルとし、これをブラシ台に植毛して歯ブラシとすることを記載している。この公報は、こうして得られた歯ブラシが歯列の間隙を清掃し易く、使用感にすぐれ、また適度の耐久性を持ったものになる、と説明している。
【特許文献３】実開昭５７−５０２２０号公報
【０００６】
また、実開平５−１５８３４号公報は、ポリエチレンテレフタレート又はポリブチレンテレフタレート製のモノフィラメントの両端にテーパー部分を設け、これを２つ折りにしてテーパー部分を揃えてブリッスルとし、これをブラシ台に植毛して歯ブラシとすることを記載している。この公報は、こうして得られた歯ブラシが、歯の清掃性とくに歯列の間隙を清掃する上で優れており、使用感及び耐久性にもすぐれていると、説明している。
【特許文献４】実開平５−１５８３４号公報
【０００７】
また、特開２００２−３６０３４４号公報は、先端が球状、テーパー状、ヘラ状、スクレーパー状、先割れ状、カール状、ウェーブ状とされたブリッスルを３種類以上用い、これを混合し又は別々にブラシ台のそれぞれ特定位置に植毛し、ブリッスルの高さを異ならしめて歯ブラシとすることを記載している。この公報は、こうして得られた歯ブラシは、毛先の形状の異なったものを選択して用い、植毛位置を異ならしめることにより、種々の機能を持った歯ブラシが得られると説明している。この公報はブリッスルの材料について具体的に説明していないが、上述のような種々の形状のブリッスルを得るためには、材料は当然合成樹脂に限られると考えられる。
【特許文献５】特開２００２−３６０３４４号公報
【発明の開示】
【発明が解決しようとする課題】
【０００８】
これまで提供されて来た上述のブラシは、何れも欠点を持っている。
【０００９】
すなわち、実開昭５８−３１８３７号公報が提供している歯ブラシは、先まで同じ太さのモノフィラメント又は動物の毛を用いているから、歯茎に強く当たり、ソフトな感じを与えない、という欠点がある。また、実開昭６４−３２６２７号公報の提供するブラシは動物の毛先を細毛化する必要があるために製造が複雑である、という欠点がある。
【００１０】
また、実開昭５７−５０２２０号公報及び実開平５−１５８３４号公報が提供している歯ブラシは合成樹脂製のモノフィラメントのみを使用したものであるから、ブリッスルに腰の強さがなく、ブリッスルが柔軟に過ぎて、歯の表面に付着した垢を容易に取り除くことができない、という欠点がある。
【００１１】
また、特開２００２−３６０３４４号公報の提供する歯ブラシは、先端部が種々の形状を呈するブリッスルを製造する必要があり、そのうちでも先端部がヘラ状、スクレーパー状、先割れ状、カール状又はウェーブ状のブリッスルを製造することは容易でないので、実施が困難であり、さらにこのようなブリッスルは合成樹脂製とする必要があり、合成樹脂製のブリッスルは柔軟に過ぎて、歯垢を確実に除去することが容易でない、という欠点を持っている。
【００１２】
そこで、この発明は、上述のような欠点のないブラシを提供しようとするものである。すなわち、この発明は、歯列間隙を容易且つ確実に清掃でき、歯茎への当りも柔かくて使用者にソフトな感じを与えることができ、しかも歯の表面のエナメル質を損うことなく歯の表面に強固に付着した垢を確実に取り除くこともでき、また製造も容易である、という利点を持ったブラシを提供しようとするものである。
【課題を解決するための手段】
【００１３】
この発明者は、合成樹脂製のモノフィラメントからなるブリッスルは柔軟であって腰が弱いが、これに比べると豚や馬などの動物の毛は硬くて腰の強いものであることに着目し、合成樹脂製のモノフィラメントと動物の毛とを混合してブリッスルとすることを考えた。また、合成樹脂製のモノフィラメントは少なくともその一端を尖らせてそこにテーパーを形成しておき、そのテーパー部分を動物の毛の先よりも突出させた状態としてブラシ台に植毛することにして、ブラシを作った。
【００１４】
この発明者は、こうして得られたブラシが従来のブラシの欠点を改良したものとなることを見出した。この発明は、このような知見に基づいて完成されたものである。
【００１５】
この発明は、合成樹脂製のモノフィラメントと動物の毛とをブリッスルとして用い、上記モノフィラメントの少なくとも一端を先細のテーパー状にし、テーパー部分を上記動物の毛先よりも突出させた状態にして、ブラシ台に植毛してなることを特徴とするブラシを提供するものである。
【発明の効果】
【００１６】
この発明に係るブラシは、合成樹脂製のモノフィラメントと動物の毛とをブリッスルとして用い、上記モノフィラメントはその少なくとも一端を先細のテーパー状にし、テーパー部分を上述の動物の毛先よりも突出した状態にしてブラシ台に植毛してブラシとしたものであるから、このブラシを他の物に軽く当接させると、合成樹脂製のモノフィラメントのテーパー部分だけが主として物に当接することとなるため、この状態でブラシを往復移動させると、テーパー部分の先を細かい隙間に進入させて、柔かい感じを与えながら清掃することができ、次いでブラシを強く当接させると、動物の毛先を物に当接させることができることとなるため、この状態でブラシを往復移動させると動物の毛により強く擦ることができる。
【００１７】
従って、このブラシは、使用の初めに軽く当接して移動させることにより、表面又は細隙に軽く付着した汚れを隅ずみまでも充分に清掃できることとなり、その後に強く当接して移動させることにより、物の表面に強く固着している埃又は垢を確実に除くことができる。この場合、動物の毛は合成樹脂製のモノフィラメントに比べると、腰の強いものであって、その腰の強さは適度であるために物を傷めないで付着物を確実に取り除くことができる。
【００１８】
とくに、このブラシを歯ブラシとして使用するときは、軽く当接して往復移動させることにより、歯の隙間に入った食べかすを容易に取り除くことができ、当りを柔かくして歯茎を適度にマッサージすることができ、次いで強く当接して往復移動させることにより、歯の表面のエナメル層を損傷しないで、歯の表面に強固に固着している垢を確実に取り除くことができる。その結果、この発明に係るブラシは、従来品の欠点を改良したものとなっている。
【００１９】
この発明では合成樹脂製のモノフィラメントと動物の毛とをそれぞれ別々の束として植毛してもよく、また混合して１つの束とし、この束を次々と植毛してもよい。また、これらの束をブラシ台のどの位置に植毛するかによって、さらにブラシとして特殊な効果をもたらすようにすることができる。
【００２０】
この発明では合成樹脂製のモノフィラメントとして、ポリエステル樹脂又はナイロンすなわちポリアミド製のモノフィラメントを用いることができる。ポリエステルとしては、ポリエチレンテレフタレート、ポリブチレンテレフタレート及びポリトリメチレンテレフタレートを用いることができる。モノフィラメントは、従来から用いられて来たものと同じ大きさのもの、歯ブラシ用のものとしては、太さがおおよそ０．１５〜０．２８ｍｍの範囲内で長さがおおよそ１８〜３６ｍｍの長さのものを用いる。
【００２１】
この発明では、合成樹脂製のモノフィラメントとして一端だけに先細のテーパー部分を持ったものと、両端にテーパー部分を持ったものとの２種類のものを用いることができる。テーパー部分はモノフィラメントの長さ方向の中央部から端に向かって曲線又は直線状に徐々に細くなっていてもよいが、また端近くの部分、すなわち端からブリッスルの長さの３分の１ないし１０分の１の長さにわたって徐々に細くなっていてもよい。テーパー部分の先端の直径は長さ方向中央部の直径の２５％以下であることが好ましい。
【００２２】
歯ブラシ用のモノフィラメントを例に採ってテーパー部分の形状を説明すると、上述のように、長さが１８〜３６ｍｍで太さが０．１５〜０．２８ｍｍのものが多く用いられているところ、モノフィラメントの長さ方向中央部の直径Ｄを基準にして、テーパー部先端の直径は０．２５Ｄ以下であり、先端から２ｍｍまでの部分は０．８Ｄ以下であり、先端から６ｍｍ以上になって直径が０．８Ｄ以上となるようなテーパーであることが好ましい。また、このようなモノフィラメントをブラシ台に植毛した状態では、モノフィラメントが７〜１４ｍｍの長さだけブラシ台から突出していることが好ましい。また、テーパー部分は先端が動物の毛の先端より０．１〜５ｍｍだけ、好ましくは０．２〜３．５ｍｍだけ突出していることが好ましい。
【００２３】
この発明では動物の毛として、豚、馬、狸、ムジナの毛を用いることができる。それらの毛は、衛生上の観点から、予め滅菌処理されていることが好ましい。動物の毛の直径は、ほぼ上述の合成樹脂製モノフィラメントの直径と等しいものを用いるが、より小さいもの又は大きいものを用いることもできる。例えば、豚の毛では３号、５号及び７号の３種のものを用いることができる。豚毛７号は直径がおおよそ０．１３〜０．２５ｍｍの範囲内にあり、豚毛３号は直径がおおよそ０．０９〜０．２３ｍｍの範囲内にある。
【発明を実施するための最良の形態】
【００２４】
この発明を実施の一例について図面に基づき説明すると、次のとおりである。図１は、この発明に係る歯ブラシの植毛部の斜視図である。図２は、この発明に係る他の歯ブラシの植毛部の平面図である。図３は、この発明に係るさらに他の歯ブラシの植毛部の平面図である。図４は、この発明に係る別の歯ブラシの植毛部の平面図である。図５は、この発明に係るさらに別の歯ブラシの植毛部の平面図である。図６は、この発明に係る別異の歯ブラシの植毛部の一部切欠斜視図である。図７は、この発明に係るさらに別異の歯ブラシの植毛部の平面図である。図２ないし図５及び図７において、黒く塗り潰した部分は、動物の毛のみからなるブリッスル束を示し、白い丸の部分は、テーパーの付された合成樹脂製モノフィラメントからなるブリッスル束を示している。
【実施例１】
【００２５】
この実施例では、図１に示したような植毛部を備えた歯ブラシを作った。
【００２６】
図１は、横方向に並ぶＡないしＦの６列にわたって植毛された歯ブラシを示している。Ａ列とＦ列は、植毛面の両端に位置し、２個の植毛孔から成るが、その余のＢ列ないしＥ列は、何れも４個の植毛孔を含んでいる。そのうち、先端がわに位置するＡ列とＢ列には、合成樹脂製のモノフィラメントからなるブリッスル束が植毛されているが、その余のＣ列ないしＦ列には豚毛が植毛されている。
【００２７】
ブラシ台は、ポリエチレンテレフタレートで作られ、植毛面３は縦約２０ｍｍ、横約１０ｍｍの小判形を呈して、植毛面３には上述のような列をなして並ぶ植毛孔が穿設されている。その植毛孔は直径が１．６ｍｍ、深さが３．５ｍｍとされている。
【００２８】
合成樹脂製のモノフィラメントとしては、ポリブチレンテレフタレート製のモノフィラメントで、長さ方向の中央部の直径が０．１９ｍｍ、長さ３０ｍｍのものを用いた。このモノフィラメントは図８に示すように、端から横軸に示した距離だけ進むに従って、直径が縦軸に示したように大きくなるようなテーパー部を両端に備えていた。モノフィラメントは２３本を１つの束とし、両端が揃うように２つ折りにして、折り目をブラシ台の植毛孔内に押し込み、その中に真鍮製の平線を打ち込んで、ブラシ台に固定した。
【００２９】
豚毛としては直径が０．１９ｍｍ、長さが３５ｍｍのものを用いた。豚毛は、本来は長さ方向に僅かなテーパーを持ったものであるが、ブリッスルとして使用する長さの範囲内ではテーパーは殆ど認められない。上記の豚毛は２３本を１つの束とし、これを２つ折りにして両端を揃え、折り目をブラシ台の植毛孔に押し込み、その中に真鍮製の平線を打ち込んで、ブラシ台に固定した。
【００３０】
こうして植毛したのち、豚毛の先を切断して合成樹脂製モノフィラメントのテーパー部分が豚毛の先から突出するようにした。
【００３１】
図１に示した歯ブラシは、これを歯磨きに使用すると、Ａ列及びＢ列にある合成樹脂製モノフィラメントが奥歯の奥まで届いて、隅ずみまでもよく磨くことができる。また歯ブラシを強く押し付けて往復移動させると、豚毛が歯の表面を擦り、歯の表面に固着している食物滓を取り除くことができるが、豚毛であるために歯のエナメル質を損傷することはなく、また歯茎に対して充分なマッサージを行うことができる。
【００３２】
上の説明では、合成樹脂製のモノフィラメントとして両端にテーパー部分を備えたものを用いたが、その代わりに一端にだけテーパー部分を備えたモノフィラメントを用いることもできる。この場合には、モノフィラメントを２つ折りにするとき、テーパー部分を備えた一端がテーパー部分を備えていない他端よりも、突出するように２つ折りにし、その状態で植毛することが必要である。
【実施例２】
【００３３】
実施例２では、実施例１と同じブラシ台と合成樹脂製モノフィラメントと豚毛とを用いたが、ただこれらの配列を図２に示したように変えて歯ブラシとした。
【００３４】
図２では、植毛面３上に長手方向に並ぶＷないしＺの４列のブリッスルのうち、両側に位置するＷとＺ列のブリッスルには、両端にテーパー部分を備えたポリブチレンテレフタレート製のモノフィラメント（以下、これを単にモノフィラメントと云う）が用いられ、中央に位置するＸとＹ列とには豚毛が用いられて、歯ブラシが作られている。図２の歯ブラシでは、図１の歯ブラシと同様に、モノフィラメントのテーパー部分が、豚毛の先から突出した状態とされていることは、云うまでもない。
【００３５】
図２に示した歯ブラシは、これを使用すると、テーパー部分が歯と歯茎の間へ進入し、また歯と歯との間の隙間へ進入するので、そこに付着している食物滓をよく掻き出すことができる。また、テーパー部分によって、歯茎を適度にマッサージすることができ、これによって血行がよくなり、歯周病を予防することができる。また、強く押圧しても豚毛により、歯のエナメル質を損傷することなく、歯の表面に固着した食物滓を確実に除去することができる。
【実施例３】
【００３６】
この実施例では、実施例１と同じブラシ台とモノフィラメントと豚毛とを用いたが、ただこれらの配列を図３に示したように変えて、歯ブラシとした。
【００３７】
図３では、植毛面３上に長手方向に並ぶＷないしＺの４列のブリッスルのうち、両側に位置するＷとＺ列のブリッスルには豚毛が用いられ、中央に位置するＸとＹ列のブリッスルにはモノフィラメントが用いられて、歯ブラシが作られている。この歯ブラシでは、モノフィラメントのテーパー部分が豚毛の先から突出した状態にされていることは、云うまでもない。
【００３８】
図３に示した歯ブラシは、これを使用すると、モノフィラメントのテーパー部分が歯と歯の間へ進入して歯の間がよく清掃できる。とくに、歯ブラシを歯の根元から先へ向かって縦方向に往復移動させるときは、豚毛によりモノフィラメントのテーパー部分が支持されることになるので、テーパー部分を備えたモノフィラメントのみで作られた歯ブラシよりも、清掃効果が高くなる。
【実施例４】
【００３９】
この実施例では、実施例１と同じブラシ台とモノフィラメントと豚毛とを用いたが、ただそれらの配列を図４に示したように変えて、歯ブラシとした。
【００４０】
図４では、植毛面３上に長手方向に並ぶＷないしＺの４列のブリッスルのうち、両側に位置するＷとＺ列のブリッスルにはモノフィラメントが用いられ、また、中央に位置するＸとＹ列のブリッスルでは、先頭に位置するＡ列のブリッスルのみにモノフィラメントが用いられ、その余のブリッスルには豚毛が用いられて歯ブラシが作られている。この歯ブラシでは、モノフィラメントのテーパー部分が豚毛の先よりも突出した状態とされていることは、云うまでもない。
【００４１】
図４に示した歯ブラシは、これを使用すると、実施例１と実施例２における歯ブラシとほぼ同じような効果が得られる。一般に豚毛からなるブリッスル束は使用されるに伴ない先を広げて使用しにくくなるものであるが、図４のブラシではモノフィラメントからなるブリッスルによって豚毛のブリッスルの先の広がるのが防がれるので、ブラシの可使期間が延長され、ブラシが長持ちする利点がある。
【実施例５】
【００４２】
この実施例では、実施例１と同じブラシ台とモノフィラメントと豚毛とを用いたが、ただこれらの配列を図５に示したように変えて、歯ブラシとした。
【００４３】
図５では、植毛面３上に並ぶ植毛孔の豚毛の束とモノフィラメントの束とを１つおき交互に植毛して、歯ブラシが作られている。この歯ブラシではモノフィラメントのテーパー部分が豚毛の先から突出した状態とされていることは、云うまでもない。
【００４４】
図５に示した歯ブラシは、モノフィラメントからなるブリッスルと豚毛からなるブリッスルとが交互に植毛されているので、モノフィラメントのテーパー部分が植毛面全体に分散していることになり、従って、テーパー部分がすべての歯の隙間及び歯茎へ進入し易くなっており、従って、これらの隙間から食物滓を掻き出し易くなっている。また、歯ブラシを長手方向及び幅方向の何れの方向に移動させても、一様に歯を磨くことができる。さらに、豚毛の先が広がるのをモノフィラメントが防ぐので、豚毛のみの歯ブラシよりも、ブラシとして長持ちすることとなる。
【実施例６】
【００４５】
この実施例では、実施例１と同じブラシ台とモノフィラメントと豚毛とを用いたが、１つのブリッスル束中に初めからモノフィラメントと豚毛とを混合して植毛することとした。
【００４６】
すなわち、この実施例では、図６に示したように太い線で示した豚毛１と細い線で示したモノフィラメント２とを混合して束とし、モノフィラメント２のテーパー部分を豚毛１の先から突出させて、ブラシ台に植毛して歯ブラシとした。
【００４７】
図６に示した歯ブラシは、モノフィラメントと豚毛とが密に混合して植毛されているので、モノフィラメントのテーパー部分と豚毛とが植毛面全体に一様に分散していることになるので、これを使用するとテーパー部分が隈なく細隙へ進入し、従って、隙間内に付着している食物滓を一層容易に掻き出すことができる。また、歯ブラシを長手方向及び幅方向の何れの方向に移動させても、歯のエナメル質を損傷しないで、固着物を確実に取り除くことができる。また、テーパー部分によるマッサージ効果が大きい。
【実施例７】
【００４８】
この実施例では、ブラシ台と豚毛は実施例１と同じものを用いたが、モノフィラメントはポリブチレンテレフタレート製で、長さが２８ｍｍ、長さ方向中央部の直径が０．２ｍｍで一端にだけテーパー部分を持ち、他端は中央部の直径そのままの大きさにされているものを用いた。そのテーパー部分は図９に示すように、先端から横軸に示す距離だけ進むに従って、直径が縦軸に示すように大きくなるような勾配を示していた。
【００４９】
このモノフィラメントは、これを２つ折りにしてブラシ台に植毛されたが、植毛状態ではテーパー部分の先端が、テーパーにされていない先端よりも２ｍｍだけ突出するようにされた。また、モノフィラメントは植毛面の外側に並ぶ植毛孔だけに植毛し、内側に位置するその余の植毛孔には豚毛を植毛した。すなわち、図７において数字４で示す位置にモノフィラメントを植毛し、数字１で示す位置に豚毛を植毛して歯ブラシとした。
【００５０】
また、モノフィラメントを植毛した状態では、テーパーにされていない端（斜線が付されている）がテーパー部分のある端（白い部分）より外側に位置するように、平線を列の延びる方向に延ばして打ち込んで植毛された。すなわち、モノフィラメント４は図７において、横に延びるＡ列とＦ列、及び縦に延びるＷ列とＺ列とにテーパー部分のある端を内側に位置させて植毛され、テーパー部分の先端はテーパーのない先端及び豚毛の先端から２ｍｍだけ突出した状態に植毛された。
【００５１】
この歯ブラシを使用すると、実施例４で得られた歯ブラシと同様な効果が得られるが、テーパー部分が実施例４の歯ブラシよりも少ないために、テーパー部分が歯の隙間及び歯茎に進入し易くなっており、従ってこれらの隙間から食物滓を掻き出し易くなっている。また、テーパー部の外側には、テーパーのないモノフィラメント端がテーパー部先端よりも後退した状態で存在しているので、歯ブラシとしてはテーパー部が突出した状態で作動することを許しながら、テーパー部が根元の方から外側へ傾くのを防止することとなり、従って、ブリッスル束の先が開いて歯ブラシとして役立たなくなることが防がれ、結果として歯ブラシを長持ちさせることとなる。
【００５２】
以上の実施例では、モノフィラメントとしてポリブチレンテレフタレート製のものを用い、動物の毛として豚毛を用いた歯ブラシについて説明したが、モノフィラメントとして他のもの例えばナイロンを用い、動物の毛として馬や狸の毛を用いた場合も同様な効果が得られる。
【図面の簡単な説明】
【００５３】
【図１】この発明に係る歯ブラシの植毛部の斜視図。
【図２】この発明に係る他の歯ブラシの植毛部の平面図。
【図３】この発明に係るさらに他の歯ブラシの植毛部の平面図。
【図４】この発明に係る別の歯ブラシの植毛部の平面図。
【図５】この発明に係るさらに別の歯ブラシの植毛部の平面図。
【図６】この発明に係る別異の歯ブラシの植毛部の一部切欠斜視図。
【図７】この発明に係るさらに別異の歯ブラシの植毛部の平面図。
【図８】この発明で用いることのできるモノフィラメントのテーパー部分の形状を示したグラフ。
【図９】この発明で用いることのできる他のモノフィラメントのテーパー部分の形状を示したグラフ。
【符号の説明】
【００５４】
１              豚毛
２              テーパー部を両端に持った合成樹脂製モノフィラメント
３              植毛面
４              テーパー部を片端だけに持った合成樹脂製モノフィラメント
【図１】
2005218555.tif 000003
【図２】
2005218555.tif 000004
【図３】
2005218555.tif 000005
【図４】
2005218555.tif 000006
【図５】
2005218555.tif 000007
【図６】
2005218555.tif 000008
【図７】
2005218555.tif 000009
【図８】
2005218555.tif 000010
【図９】
2005218555.tif 000011